(57)【要約】【課題】機器の増設が容易にでき、また、光ファイバの余長が複数種類ある場合でもトレイの数を増やすことがなく、収納が煩雑にならないスプライスボックスを提供する。【解決手段】本体ケース２は合成樹脂によって前面を開口して形成し、この本体ケース２の前面に合成樹脂によって前面を開口して形成した増設ケース１８を取付ネジ２５と係止爪２１によって着脱自在にする。増設ケース１８の前面開口はカバー３と補助カバー２８によって着脱自在に閉塞する。本体ケース２は外部から光ファイバケーブルや光ファイバコード等を導入し、内部に光ファイバの融着部や余長やコネクタ接続部等を収納し、増設ケースにはメディアコンバータ等の機器を収納できる。また、本体ケースの余長収納部の余長の浮き上がり防止片は２段に高さを変えて形成し、下段には光ファイバ心線を収納し、上段には光ファイバコードを収納できるようにする。【選択図】図７
2005215093.tif 000002
【特許請求の範囲】
【請求項１】
前面を開口した樹脂製の本体ケースと、該本体ケースの前面開口を閉塞する着脱可能な樹脂製のカバーとで成り、外部から光ファイバケーブルや光ファイバコードを導入し、内部に融着部と余長を収納するスプライスボックスにおいて、前記本体ケースの前面開口に増設ケースを着脱可能にしたことを特徴とするスプライスボックス。
【請求項２】
光ファイバの余長を収納する余長収納部の周囲に内側方向に突設される余長の浮き上がり防止片を複数段にしたことを特徴とするスプライスボックス。
【発明の詳細な説明】
【技術分野】
【０００１】
本発明は、光ファイバの融着部や余長を収納する樹脂製のスプライスボックスに関する。
【背景技術】
【０００２】
スプライスボックスは、少なくとも前面を開放した樹脂製の本体ケースと、本体ケースの開放部分を閉塞する着脱可能な樹脂製のカバーとで成り、本体ケースの下側面に設けられた導入部から光ファイバケーブルや光ファイバコードを内部に導入し、光ファイバを融着してその融着部をホルダに固定し、融着時にできた光ファイバの余長をトレイの余長収納部に収納している。このトレイは複数段に積層可能に設けられ、トレイを形成する周壁には複数個の余長の浮き上がり防止片が互いに適宜間隔をおいて同一高さで内側方向に突設されている。
【特許文献１】特開２００４−１２６９１号公報
【発明の開示】
【発明が解決しようとする課題】
【０００３】
スプライスボックスは、目的に応じて機器を設けたり、既設のものに機器を増設する必要もあるが、従来のスプライスボックスでは内部スペースが限られており、増設機器を収納することができないという問題があった。また、余長収納部には余長の浮き上がり防止片が１段しか設けられていないため、光ファイバコードや光ファイバ心線等、複数種類の光ファイバを収納する場合に煩雑になり、このため、この問題を解決するには光ファイバの種類毎にトレイを複数設ける必要があり、部品点数が増加するという問題があった。
【課題を解決するための手段】
【０００４】
本発明は、請求項１に記載の発明によれば、前面を開口した樹脂製の本体ケースと、本体ケースの前面開口を閉塞する着脱可能な樹脂製のカバーとで成り、外部から光ファイバケーブルや光ファイバコードを導入し、内部に融着部と余長を収納するスプライスボックスにおいて、本体ケースの前面開口に増設ケースを着脱可能にしたことを特徴とする。
【０００５】
請求項２に記載の発明によれば、請求項１に記載のスプライスボックスにおいて、光ファイバの余長を収納する余長収納部の周囲に内側方向に突設される余長の浮き上がり防止片を複数段に設けたことを特徴とする。
【発明の効果】
【０００６】
本発明のスプライスボックスは、機器の増設が容易にでき、また、光ファイバの余長が複数種類ある場合でもトレイの数を増やすことがなく、収納が煩雑にならないという効果がある。
【発明を実施するための最良の形態】
【０００７】
本体ケースは合成樹脂によって前面を開口して形成し、この本体ケースの前面に合成樹脂によって前面を開口して形成した増設ケースを取付ネジと係止爪によって着脱自在にする。増設ケースの前面開口はカバーと補助カバーによって着脱自在に閉塞する。本体ケースは外部から光ファイバケーブルや光ファイバコード等を導入し、内部に光ファイバの融着部や余長やコネクタ接続部等を収納し、増設ケースにはメディアコンバータ等の機器を収納できる。また、本体ケースの余長収納部の余長の浮き上がり防止片は２段に高さを変えて形成し、下段には光ファイバ心線を収納し、上段には光ファイバコードを収納できるようにする。
【実施例１】
【０００８】
本発明に係るスプライスボックスの実施例を図１〜図８の添付図面に基づいて説明する。
【０００９】
スプライスボックス１は、前面を開口した樹脂製の本体ケース２と、本体ケース２の前面開口を閉塞する着脱可能な樹脂製のカバー３とで成っている。
【００１０】
本体ケース２は背板部２ａの４隅を建物の壁に螺着して固定され、下側板部２ｂの導入孔４を通して光ファイバケーブル５や光ファイバコード６が外部から導入される。導入孔４には光ファイバケーブル５や光ファイバコード６を保護するためにパッキン７が設けられている。
【００１１】
そして、内部に導入された光ファイバケーブル５は脱落しないように本体ケース２の下部に設けられた固定部材８によって固定され、光ファイバケーブル５や光ファイバコード６の先端から延びる光ファイバ心線９同士を融着している。
【００１２】
この光ファイバ心線９の融着部１０は本体ケース２の中央左右両部に前方に複数突設したＵ字状のホルダ部１１に保持される。また、融着時にできる余長は丸められて本体ケース２の左右側板部２ｃ，２ｄの内面と、中央上下両部に突設された突片１２とで構成する余長収納部１３に収納される。本体ケース２の左右側板部２ｃ，２ｄと突片１２には適宜間隔をおいて複数の余長浮き上がり防止片１４ａ，１４ｂが複数段にして内側方向に突設され、この例では２段に形成されている。
【００１３】
このため、光ファイバ心線９の余長は本体ケース２の背板部２ａと下段の浮き上がり防止片１４ａとの間に収納し、光ファイバコード６の余長は下段の浮き上がり防止片１４ａと上段の浮き上がり防止片１４ｂとの間に収納する等、光ファイバ心線９と光ファイバコード６の余長収納を分けて行うことができる。
【００１４】
また、本体ケース２の背板部２ａの中央左右両部にはアダプタ１５が取り付け可能になっており、光ファイバコード６同士をコネクタ接続することができる。
【００１５】
本体ケース２の上側板部２ｅと左右側板部２ｃ，２ｄの外面には係合突片１６が突設され、カバー３の上側板部３ｅと左右側板部３ｃ，３ｄの内面には係合片１７が突設されている。これにより、係合突片１６の裏側に係合片１７が係合するように本体ケース２の上方からカバー３を嵌めて取り付けることができる。
【００１６】
また、本体ケース２の前面開口には、増設ケース１８を着脱することができる。増設ケース１８は合成樹脂によって前面を開口して形成され、内部に図示しないがメディアコンバータ等の機器が収納できる。増設ケース１８の背板部１８ａの上部左右には取付孔１９が形成された窪み部２０が形成され、背板部１８ａの左右下部に係止爪２１が背面方向に突設され、本体ケース２の背板部２ａには増設ケース１８の窪み部２０と対向する位置にネジ孔２２が形成されたボス２３が突設され、係止爪２１と対向する位置に係止孔２４が形成されている。また、窪み部２０の取付孔１９の先端は段状に形成され、ボス２３の外周に嵌合するようになっている。
【００１７】
増設ケース１８を本体ケース２に取り付けるには、本体ケース２からカバー３を取り外した状態で本体ケース２の正面から増設ケース１８を押し当て、本体ケース２の係止孔２３と増設ケース１８の係止爪２１を係止させ、且つ、本体ケース２のボス２３と増設ケース１８の窪み部２０の先端を嵌合させて位置合わせを行い、窪み部２０の取付孔１９に取付ネジ２５を前面から挿通させてボス２３のネジ孔２２に螺着することにより行う。増設ケース１８に収納された機器と本体ケース２間の配線は背板部１８ａの配線孔２６を通して行うことができる。
【００１８】
増設ケース１８のカバー３は本体ケース２のカバー３と兼用でき、取付方法も同じで増設ケース１８の係合突片２７にカバー３の係合片１７を係合させて取り付ける。しかし、カバー３の形状から増設ケース１８の下部が開放してしまうため、この部分には補助カバー２８を取り付ける。補助カバー２８は左右内側に突起２９が形成され、増設ケース１８の係合凹部３０に係合させることにより着脱可能にされている。この増設ケース１８のカバー３と補助カバー２８を透明又は半透明に形成することにより、メディアコンバータ等の機器の作動状況をカバーを取り外すことなく、確認することができる。
【００１９】
尚、本実施例において、増設ケース１８をカバー３と補助カバー２８で閉塞するようにしたが、一つのカバーで閉塞できるようにしても良い。また、本体ケース２と増設ケース１８の取付構造についても限定はなく、余長収納部の浮き上がり防止片についても本体ケース２に一体に形成することに限らず、従来例のようにトレイに形成する場合でも適用できる。
【図面の簡単な説明】
【００２０】
【図１】本発明に係るスプライスボックスの本体ケースを示す正面図である。
【図２】図１のＡ−Ａ線断面図である。
【図３】本発明に係るスプライスボックスのカバー示す正面図である。
【図４】図３のＢ−Ｂ線断面図である。
【図５】本発明に係るスプライスボックスの本体ケースにカバーを取り付ける様子を示す右側面図である。
【図６】本発明に係るスプライスボックスの増設ケースを示す正面図である。
【図７】本発明に係るスプライスボックスの本体ケースに増設ケースを取り付け、この増設ケースにカバーと補助カバーを取り付ける様子を示す右側面図である。
【図８】本発明に係るスプライスボックスを示す正面図である。
【符号の説明】
【００２１】
１    スプライスボックス
２    本体ケース
３    カバー
５    光ファイバケーブル
６    光ファイバコード
９    光ファイバ心線
１４ａ，１４ｂ    浮き上がり防止片
１８    増設ケース
【図１】
2005215093.tif 000003
【図２】
2005215093.tif 000004
【図３】
2005215093.tif 000005
【図４】
2005215093.tif 000006
【図５】
2005215093.tif 000007
【図６】
2005215093.tif 000008
【図７】
2005215093.tif 000009
【図８】
2005215093.tif 000010